(57)【要約】  第１の標準サイズのシリンジの第１のプランジャーのヘッドと第１のプランジャーのシールとの間の内側の長さに等しい長さを有し、第１のプランジャーと第１の標準サイズのシリンジのバレルとの間に生成されたギャップよりも小さい幅を有している、第１のロッドと、第２の標準サイズのシリンジの第２のプランジャーのヘッドと第２のプランジャーのシールとの間の内側の長さに等しい長さを有し、第２のプランジャーと第２の標準サイズのシリンジのバレルとの間に生成されたギャップよりも小さい幅を有している、第２のロッドと、第１の端部で第１のロッドの遠位端部に、そして第２の端部で第２のロッドの遠位端部に機械的に取り付けられた、可撓性コネクタと、を含む、同期された注入および吸引のためのアクチュエータ。【選択図】図１
2020527091.tif 000002
【特許請求の範囲】
【請求項１】
同期された注入および吸引のためのアクチュエータであって、
第１の標準サイズのシリンジの第１のプランジャーのヘッドと前記第１のプランジャーのシールとの間の内側の長さに等しい長さを有し、前記第１のプランジャーと前記第１の標準サイズのシリンジのバレルとの間に生成されたギャップよりも小さい幅を有している、第１のロッドと、
第２の標準サイズのシリンジの第２のプランジャーのヘッドと前記第２のプランジャーのシールとの間の内側の長さに等しい長さを有し、前記第２のプランジャーと前記第２の標準サイズのシリンジのバレルとの間に生成されたギャップよりも小さい幅を有している、第２のロッドと、
第１の端部で前記第１のロッドの遠位端部に、そして第２の端部で前記第２のロッドの遠位端部に機械的に取り付けられた、可撓性コネクタと、を含む、アクチュエータ。
【請求項２】
前記可撓性コネクタの遠位方向に配置された湾曲部分と、前記可撓性コネクタの移動と、を支持する、前記可撓性コネクタのためのアンカーをさらに含む、請求項１に記載のアクチュエータ。
【請求項３】
前記第１のロッドが、近位端部に第１のホルダを含んでおり、前記第１のホルダが、前記第１のプランジャーに着脱可能に機械的に連結されており、
前記第２のロッドが、近位端部に第２のホルダを含んでおり、前記第２のホルダが、前記第２のプランジャーに着脱可能に機械的に連結されている、請求項１に記載のアクチュエータ。
【請求項４】
前記第１のロッドおよび前記第２のロッドが、チューブであり、前記可撓性コネクタが、前記チューブ内に挿入される針である、請求項１に記載のアクチュエータ。
【請求項５】
前記可撓性コネクタが一方向にのみ移動することを可能にする、一方向機構をさらに含む、請求項１に記載のアクチュエータ。
【請求項６】
前記第１のロッドおよび前記第２のロッドが、プランジャーのＸ字形プロファイル内に適合するように、９０度の角を有するプロファイルを有している、請求項１に記載のアクチュエータ。
【請求項７】
請求項１に記載のアクチュエータを含むデバイスであって、
前記第１の標準サイズのシリンジおよび前記第２の標準サイズのシリンジを保持するためのシリンジマウントを有する、ハウジングをさらに含む、デバイス。
【請求項８】
請求項１に記載のアクチュエータを含むデバイスであって、
グリップと、
前記第１のプランジャーを押す押し出しロッドに連結された、トリガーと、をさらに含む、デバイス。
【請求項９】
同期された注入および吸引のための方法であって、
第１の標準サイズのシリンジの第１のプランジャーを遠位方向に変位させて、前記第１の標準サイズのシリンジから流体を注入することと、
第１のロッドを遠位方向に変位させることであって、前記ロッドが、前記第１のプランジャーのヘッドと前記第１のプランジャーのシールとの間の内側の長さに等しい長さを有し、前記第１のプランジャーと前記第１の標準サイズのシリンジのバレルとの間に生成されたギャップよりも小さい幅を有している、変位させることと、
遠位方向に変位される前記第１のロッドの遠位端部に機械的に取り付けられた可撓性コネクタの第１の端部を遠位方向に変位させることと、
第２のロッドの遠位端部に機械的に取り付けられた前記可撓性コネクタの第２の端部を近位方向に変位させることと、
第２のロッドを近位方向に変位させることであって、前記第２のロッドが、第２の標準サイズのシリンジの第２のプランジャーのヘッドと前記第２のプランジャーのシールとの間の内側の長さに等しい長さを有し、前記第２のプランジャーと前記第２の標準サイズのシリンジのバレルとの間に生成されたギャップよりも小さい幅を有している、変位させることと、
前記第２のプランジャーを近位方向に変位させて、前記第２の標準サイズのシリンジから流体を吸引することと、を含む、方法。
【請求項１０】
同期された注入および吸引のためのデバイスを使用する方法であって、
第１の標準サイズのシリンジおよび第２の標準サイズのシリンジを、前記デバイスのハウジングのシリンジマウント内に挿入することと、
前記第１の標準サイズのシリンジの第１のプランジャーに隣接して第１のロッドを位置付けることであって、それにより、前記第１のロッドが、近位端部で前記第１のプランジャーのヘッドにより、そして遠位端部で前記第１のプランジャーのシールにより保持される、位置付けることと、
前記第２の標準サイズのシリンジの第２のプランジャーに隣接して第２のロッドを位置付けることであって、それにより、前記第２のロッドが、近位端部で前記第２のプランジャーのヘッドにより、そして遠位端部で前記第２のプランジャーのシールにより保持され、可撓性コネクタが、第１の端部で前記第１のロッドの遠位端部に、そして第２の端部で前記第２のロッドの遠位端部に機械的に取り付けられる、位置付けることと、
前記第１のプランジャーを押して、前記第１の標準サイズのシリンジから流体を注入し、一方で、前記第２の標準サイズのシリンジから流体を吸引することと、を含む、方法。
【発明の詳細な説明】
【技術分野】
【０００１】
本発明は、そのいくつかの実施形態において、片手で操作される同期された注入および吸引のためのデバイスに関し、より具体的には、排他的ではないが、１つのシリンジによる吸引が他のシリンジによる同時吸引に変換されるための、シリンジを使用した流体の同期された注入および吸引のためのアクチュエータに関する。これは、３つ以上の往復シリンジで実現され得る。
【背景技術】
【０００２】
２つ以上のシリンジでの吸引と注入の比率は、シリンジバレルの内部体積を事前に決定することによって記載される。例えば、吸引と注入の比率は、１：１（同じ体積の２つ以上のシリンジバレルの使用）、または１：２（１つのシリンジバレルまたは他のシリンジバレルの２倍の体積の使用）であり得る。
【０００３】
いくつかの医療処置には、患者内への流体の注入、および患者からの流体の除去が含まれる。例えば、膿瘍の治療は、体腔から膿を排出し、生理食塩水を腔内に注入することにより実行され得る。生理食塩水は、腔から残っている膿および他の破片を洗い流すために使用され得る。注入および除去は、全ての膿が除去され、かつ腔が洗浄されるまで、医療提供者によって連続的かつ反復的に実行されてもよい。別の例では、静脈切除（例えば、静脈瘤の）は、硬化剤の静脈内への注入、および静脈からの過剰な硬化剤の除去によって実行され得る。注入および吸引は、制御された様式で実行されて、血管系の残りの部分内への薬品の拡散を防ぐのを助けることができる。
【０００４】
同時吸引は、血液または他の体液での希釈を減らし、かつ痙攣を生じさせ、内径の小さい血管を作ることにより、薬剤の有効性を改善および／または強化する可能性がある。吸引により、治療部位の破片、組織粒子、血栓および／または石灰化粒子の量が減少する場合がある。
【０００５】
医療提供者が注入および吸引をより簡単に実行するようにするためのデバイスが開発されている。一部のデバイスは、１つのシリンジのプランジャーを別のシリンジのプランジャーに機械的に結合することを含む。
【発明の概要】
【０００６】
本発明のいくつかの実施形態の一態様によれば、第１の標準サイズのシリンジの第１のプランジャーのヘッドと第１のプランジャーのシールとの間の内側の長さに等しい長さを有し、第１のプランジャーと第１の標準サイズのシリンジのバレルとの間に生成されたギャップよりも小さい幅を有している、第１のロッドと、第２の標準サイズのシリンジの第２のプランジャーのヘッドと第２のプランジャーのシールとの間の内側の長さに等しい長さを有し、第２のプランジャーと第２の標準サイズのシリンジのバレルとの間に生成されるギャップよりも小さい幅を有している、第２のロッドと、第１の端部で第１のロッドの遠位端部に、そして第２の端部で第２のロッドの遠位端部に機械的に取り付けられた、可撓性コネクタと、を含む、同期された注入および吸引のためのアクチュエータが提供される。第１のシリンジのプランジャーを押圧して、注入することにより、第２のシリンジが自動的かつ同時に吸引し、片手の操作を可能にする。
【０００７】
任意選択で、アクチュエータは、可撓性コネクタの遠位方向に配置された湾曲部分と、可撓性コネクタの移動と、を支持する、可撓性コネクタのためのアンカーをさらに含む。
【０００８】
任意選択で、第１のロッドは、近位端部に第１のホルダを含んでおり、第１のホルダは、第１のプランジャーに着脱可能に機械的に連結されており、第２のロッドは、近位端部に第２のホルダを含んでおり、第２のホルダは、第２のプランジャーに着脱可能に機械的に連結されている。
【０００９】
任意選択で、第１のロッドおよび第２のロッドは、チューブであり、可撓性コネクタは、チューブ内に挿入される針である。
【００１０】
任意選択で、アクチュエータは、可撓性コネクタが一方向にのみ移動することを可能にする、一方向機構をさらに含む。
【００１１】
任意選択で、第１のロッドおよび第２のロッドは、プランジャーのＸ字形プロファイル内に適合するように、９０度の角を有するプロファイルを有している。
【００１２】
本発明のいくつかの実施形態によれば、アクチュエータを含むデバイスであって、第１の標準サイズのシリンジおよび第２の標準サイズのシリンジを保持するためのシリンジマウントを有する、ハウジングをさらに含む、デバイスが提供される。
【００１３】
本発明のいくつかの実施形態によれば、アクチュエータを含むデバイスであって、グリップと、第１のプランジャーを押す押し出しロッドに連結された、トリガーと、をさらに含む、デバイスが提供される。
【００１４】
本発明のいくつかの実施形態の一態様によれば、同期された注入および吸引のための方法であって、第１の標準サイズのシリンジの第１のプランジャーを遠位方向に変位させて、第１の標準サイズのシリンジから流体を注入することと、第１のロッドを遠位方向に変位させることであって、ロッドが、第１のプランジャーのヘッドと第１のプランジャーのシールとの間の内側の長さに等しい長さを有し、第１のプランジャーと第１の標準サイズのシリンジのバレルとの間に生成されたギャップよりも小さい幅を有している、変位させることと、遠位方向に変位された第１のロッドの遠位端部に機械的に取り付けられる可撓性コネクタの第１の端部を遠位方向に変位させることと、第２のロッドの遠位端部に機械的に取り付けられる可撓性コネクタの第２の端部を近位方向に変位させることと、第２のロッドを近位方向に変位させることであって、第２のロッドが、第２の標準サイズのシリンジの第２のプランジャーのヘッドと第２のプランジャーのシールとの間の内側の長さに等しい長さを有し、第２のプランジャーと第２の標準サイズのシリンジのバレルとの間に生成されたギャップよりも小さい幅を有している、変位させることと、第２のプランジャーを近位方向に変位させて、第２の標準サイズのシリンジから流体を吸引することと、を含む、方法が提供される。
【００１５】
本発明のいくつかの実施形態の一態様によれば、同期された注入および吸引のためのデバイスを使用する方法であって、第１の標準サイズのシリンジおよび第２の標準サイズのシリンジを、デバイスのハウジングのシリンジマウント内に挿入することと、第１の標準サイズのシリンジの第１のプランジャーに隣接して第１のロッドを位置付けることであって、それにより、第１のロッドが、近位端部で第１のプランジャーのヘッドにより、そして遠位端部で第１のプランジャーのシールにより保持される、位置付けることと、第２の標準サイズのシリンジの第２のプランジャーに隣接して第２のロッドを位置付けることであって、それにより、第２のロッドが、近位端部で第２のプランジャーのヘッドにより、そして遠位端部で第２のプランジャーのシールにより保持され、可撓性コネクタが、第１の端部で第１のロッドの遠位端部に、そして第２の端部で第２のロッドの遠位端部に機械的に取り付けられる、位置付けることと、第１のプランジャーを押して、第１の標準サイズのシリンジから流体を注入し、一方で、標準サイズのシリンジから流体を吸引することと、を含む、方法が提供される。
【００１６】
特に定義しない限り、本明細書で使用する全ての技術および／または科学用語は、本発明が属する技術分野の当業者により通常理解されるものと同じ意味を有する。本明細書に記載のものと同様のまたは等価な方法および材料を、本発明の実施形態の実践または試験に使用することができるが、例示的な方法および／または材料を下記に記載する。矛盾する場合、定義を含む特許明細書が優先する。加えて、材料、方法、および実施例は単なる例示であり、必ずしも限定を意図するものではない。
【００１７】
本発明のいくつかの実施形態について、その例示のみを目的として添付の図面を参照して本明細書に記載する。以下、特に図面を詳細に参照して示す細部は、例示を目的とし、また本発明の実施形態の詳細な説明を目的とすることを強調する。同様に、図面と共に説明を見ることで、本発明の実施形態をどのように実践し得るかが当業者には明らかとなる。
【図面の簡単な説明】
【００１８】
【図１】本発明のいくつかの実施形態による、同期された注入および吸引のためのアクチュエータの概略図である。
【図２】本発明のいくつかの実施形態による、ホルダを有する例示的なアクチュエータの図である。
【図３Ａ】本発明のいくつかの実施形態による、同期された注入および吸引のためのアクチュエータを含むデバイスの図である。
【図３Ｂ】本発明のいくつかの実施形態による、同期された注入および吸引のためのアクチュエータを含むデバイスの図である。
【図３Ｃ】本発明のいくつかの実施形態による、同期された注入および吸引のためのアクチュエータを含むデバイスの図である。
【図３Ｄ】本発明のいくつかの実施形態による、同期された注入および吸引のためのアクチュエータを含むデバイスの図である。
【図３Ｅ】本発明のいくつかの実施形態による、同期された注入および吸引のためのアクチュエータを含むデバイスの図である。
【図３Ｆ】本発明のいくつかの実施形態による、同期された注入および吸引のためのアクチュエータを含むデバイスの図である。
【図３Ｇ】本発明のいくつかの実施形態による、同期された注入および吸引のためのアクチュエータを含むデバイスの図である。
【図４Ａ】本発明のいくつかの実施形態による、チューブおよびストリングを有する同期された注入および吸引のためのデバイスおよびアクチュエータの図である。
【図４Ｂ】本発明のいくつかの実施形態による、チューブおよびストリングを有する同期された注入および吸引のためのデバイスおよびアクチュエータの図である。
【図４Ｃ】本発明のいくつかの実施形態による、チューブおよびストリングを有する同期された注入および吸引のためのデバイスおよびアクチュエータの図である。
【図４Ｄ】本発明のいくつかの実施形態による、チューブおよびストリングを有する同期された注入および吸引のためのデバイスおよびアクチュエータの図である。
【図４Ｅ】本発明のいくつかの実施形態による、チューブおよびストリングを有する同期された注入および吸引のためのデバイスおよびアクチュエータの図である。
【図４Ｆ】本発明のいくつかの実施形態による、チューブおよびストリングを有する同期された注入および吸引のためのデバイスおよびアクチュエータの図である。
【図４Ｇ】本発明のいくつかの実施形態による、チューブおよびストリングを有する同期された注入および吸引のためのデバイスおよびアクチュエータの図である。
【図５】図５Ａおよび図５Ｂは、本発明のいくつかの実施形態による、緩い可撓性コネクタを有する、それぞれ図２のデバイスと同様のデバイス、および図３Ａのアクチュエータと同様のアクチュエータの図である。
【図６】図６Ａおよび図６Ｂは、本発明のいくつかの実施形態による、チューブおよびストリングを有するアクチュエータを備えた、図４Ａのデバイスと同様のデバイスの図である。
【図７Ａ】本発明のいくつかの実施形態による、同期された注入および吸引のためのピストル型デバイスの図および断面図である。
【図７Ｂ】本発明のいくつかの実施形態による、同期された注入および吸引のためのピストル型デバイスの図および断面図である。
【図７Ｃ】本発明のいくつかの実施形態による、同期された注入および吸引のためのピストル型デバイスの図および断面図である。
【図８】本発明のいくつかの実施形態による、同期された注入および吸引のためのデバイスを使用するための方法を概略的に表すフローチャートである。
【発明を実施するための形態】
【００１９】
本発明は、そのいくつかの実施形態において、同期された注入および吸引のためのデバイスに関し、より詳細には、排他的ではないが、シリンジを使用した流体の同期された注入および吸引のためのアクチュエータに関する。
【００２０】
本発明のいくつかの実施形態によれば、少なくとも１つの可撓性コネクタによって接続された２つ以上のロッドを含む、アクチュエータが提供される。使用中、各ロッドは１つのシリンジのプランジャーに隣接し、ヘッドおよびプランジャーのシールで保持されているため、可撓性コネクタによって接続されたロッドの端部は、プランジャーのシールの隣にある。１つのシリンジのプランジャーが押されるときに、ロッドは、可撓性コネクタを使用して他のロッドを引っ張り、他のシリンジのプランジャーが引っ張られる。
【００２１】
この機構は、第１のシリンジのプランジャーの移動方向（すなわち、注入）を、第２のシリンジのプランジャーの反対の移動方向（すなわち、吸引）に自動的に変換するように構成および配置されている。任意選択で、反対の移動は平行である。任意選択で、機構は、第１のシリンジのバレル内への第１のプランジャーのさらなる挿入が、第２のシリンジの第２のバレルからの第２のプランジャーの引き抜きと同期し、それにより、第１のシリンジからの注入が、第２のシリンジ内への吸引と同期するように配置される。有利には、第１のシリンジのプランジャーを押圧して、注入することにより、第２のシリンジが自動的かつ同時に吸引し、そのことは片手の操作を可能にする。
【００２２】
同期された注入および吸引は、例えば、医療および／または獣医学の目的で使用され得る。例：流体の同時注入および除去の必要性、キャビティ内の圧力を維持する必要性（流体の実質的に等しい挿入および除去が、キャビティ内の圧力を比較的一定に維持する）、局所的作用の後に身体から有害な薬物を迅速に除去する必要性、および／または標的身体内で２つ以上の液体を混合する必要性。処置の例には、膿瘍の排出およびフラッシングアウト、一定の圧力に維持する必要がある体腔内（例えば、関節空間）への治療薬の注入、静脈切除のための硬化剤の注入、ならびに薬剤が循環に到達するのを防ぐための薬剤の除去が含まれる。
【００２３】
本発明のいくつかの実施形態によれば、アクチュエータを含み、かつシリンジ用のハウジングおよび／またはマウントも含む、デバイスが提供される。任意選択で、デバイスは、片手の手のひらに収まるサイズおよび／または形状のハンドヘルドデバイスである。有利には、同時に同期された注入および吸引は、片手で実行され得る。任意選択的に、デバイスは、ピストル形状であり、また、プランジャーのうちの一方を押す押し出しロッドに連結された、グリップおよびトリガーを含む。
【００２４】
有利には、たとえデバイスが無菌でなくても、流体および／またはシリンジ内で無菌性を維持することができる。有利なことに、デバイス自体は再利用可能であり得、かつシリンジは低価格の既製のシリンジであるため、デバイスは、費用効果が高くあり得る。有利には、デバイスは、例えば、２人の操作者または両手を使用する１人の操作者の代わりに片方の手のみを使用して、注入および吸引の両方の動作を実行することができるため、同時の注入および吸引の実行を容易にし得る。
【００２５】
任意選択で、デバイスは、第２のシリンジの遠位変位（すなわち、吸引シリンジによる注入）を防止するために配置された、一方向機構を含む。例えば、機構は、ラチェットである。任意選択で、ラチェットは、同期機構に結合され、例えば、１つ以上のギア、移動ワイヤ、または他の構造体の逆運動を防止する。有利には、例えば、吸引された廃棄物の内容物が患者に戻される注入などの安全でない操縦が、ラチェットによって防止または低減される。
【００２６】
本発明の少なくとも１つの実施形態を詳細に説明する前に、本発明は、必ずしもその用途が、以下の記載に示す、および／または図面および／または実施例で例示する、構成の詳細および要素の配置および／または方法に必ずしも限定されないことを理解するべきである。本発明は、他の実施形態が可能であり、また、さまざまな手段で実施または実行することが可能である。
【００２７】
ここで図面を参照すると、図１は、本発明のいくつかの実施形態による、同期された注入および吸引のためのアクチュエータの概略図である。
【００２８】
アクチュエータ１００は、２つの標準サイズのシリンジ１１０Ａ〜Ｂと併用される。
【００２９】
任意選択で、シリンジ１１０Ａおよび１１０Ｂは、異なる体積のものである。各シリンジの体積容量は、例えば、約１ミリリットル（ｍＬ）、もしくは約５ｍＬ、もしくは約１０ｍＬ、もしくは約２０ｍＬ、もしくは約３０ｍＬ、もしくは約５０ｍＬ、もしくは約６０ｍＬ、もしくは約１００ｍＬ、もしくは約２００ｍＬ、もしくは約５００ｍＬ、もしくは約１０００ｍＬ、またはその他のより小さい、中間、もしくはより大きい体積である。各シリンジの体積容量は、注入量と吸引量との間の望ましい比率に応じて選択され得る。例えば、比率が１：１である場合、同じサイズの２つのシリンジを選択することができる。別の実施例では、異なる薬物を有する複数の異なるシリンジを使用して注入する場合、小さなシリンジ（例えば、１０ミリリットル（ｍＬ））を使用して注入してもよく、また１つの大きなシリンジを使用して、全ての流体（例えば、６０ｍＬ）を収集してもよい。
【００３０】
任意選択で、シリンジ１１０Ａ〜Ｂは既製品である。任意選択で、シリンジ１１０Ａ〜Ｂは、単回使用であり、かつ使い捨て可能である。例えば、プラスチック製の使い捨て可能な単回使用のシリンジが、一般に医療の場で見られる。
【００３１】
シリンジ１１０Ａ〜Ｂは、液体、半液体および／または気体を含むあらゆる種類の流体（複数可）を、注入および／または吸引するためのあらゆる種類のシリンジを含むことができる。
【００３２】
アクチュエータ１００は、２つのロッド１０１Ａ〜Ｂを含んでおり、その各々はシリンジ１１０Ａ〜Ｂのうちの１つのプランジャー１１１Ａ〜Ｂに隣接している。ロッド１０１Ａ〜Ｂの各々は、近位端部でそれぞれのプランジャー１１１Ａ〜Ｂのヘッド１１２Ａ〜Ｂにより、および遠位端部でプランジャー１１１Ａ〜Ｂのシール１１３Ａ〜Ｂにより保持される。
【００３３】
シリンジ１１０Ａ〜Ｂに適合するために、ロッド１０１Ａ〜Ｂの各々は、それぞれのヘッド１１２Ａ〜Ｂとそれぞれのシール１１３Ａ〜Ｂと間の内側の長さに等しい長さであり、その幅は、それぞれのプランジャー１１１Ａ〜Ｂと、それぞれのシリンジ１１０Ａ〜Ｂのそれぞれのバレル１１４Ａ〜Ｂとの間に生成されたギャップよりも小さい。
【００３４】
任意選択で、ロッド１０１Ａ〜Ｂの長さは、調整可能である。
【００３５】
ロッド１０１Ａ〜Ｂは、例えば、プラスチック、金属、ガラス、および／または他の任意の剛性材料から作製され得る。
【００３６】
アクチュエータ１００はまた、１つの端部がロッド１０１Ａの遠位端部に、かつ他の端部がロッド１０１Ｂの遠位端部に機械的に取り付けられた可撓性コネクタ１０２を含む。可撓性コネクタ１０２は、例えば、コード、ライン、ストリング、ワイヤ、ストラップ、バンド、チェーン、および／または任意の他の細長い可撓性部材であってもよい。可撓性コネクタ１０２は、ナイロンなどの任意の種類の可撓性かつ強力な材料で作製されてもよい。
【００３７】
本明細書において、遠位という用語は、デバイスの操作者から離れていることを意味する。本明細書において、近位という用語は、デバイスの操作者に向かっていることを意味する。参考のため、下向きの移動を遠位方向と呼び、上向きの移動を近位方向と呼ぶ。アクチュエータ１００に対する流体の流れの例示的な方向は、矢印で示されている。
【００３８】
使用中、プランジャー１１１Ａを遠位方向に押すことによるシリンジ１１０Ａを使用した注入は、ロッド１０１Ａを遠位方向に変位させ、これは、可撓性コネクタ１０２を変位させる。次に、可撓性コネクタ１０２は、ロッド１０１Ｂを引っ張って近位方向に変位させ、これは、プランジャー１１１Ｂを近位方向に変位させ、シリンジ１１０Ｂによる吸引をもたらす。
【００３９】
可撓性コネクタ１０２の長さは、シリンジ１１０Ａ〜Ｂのサイズに基づいて、バレル１１４Ａ〜Ｂ内部のプランジャー１１１Ａ〜Ｂの実質的な線形変位のために設計されている。
【００４０】
任意選択で、アクチュエータ１００は、さらなる１つ以上のロッドを含み、その各々は、さらなる可撓性コネクタによって他のロッドのうちの１つに接続される。これにより、１つのプランジャーを押したり、または引いたりするだけで、複数のシリンジを使用して、いくつかの注入またはいくつかの吸引を行うことが可能となる。
【００４１】
任意選択で、アンカー１０３は、可撓性コネクタ１０２を支持する。アンカー１０３は、可撓性コネクタ１０２の遠位方向に配置された湾曲部分を支持しており、可撓性コネクタ１０２の移動を可能にする。任意選択で、アンカー１０３は、シリンジ１１０Ａ〜Ｂの間に位置し、かつシリンジ１１０Ａ〜Ｂのバレル１１４Ａ〜Ｂに対して静止している。
【００４２】
任意選択で、アンカー１０３は、シリンジに対して静止状態に保持されるチューブを含み、例えば、チューブは基部に取り付けられる。チューブの内径は、可撓性コネクタ１０２の外径よりも大きく、その結果、可撓性コネクタ１０２は、チューブ内部で摺動および変位することができる。
【００４３】
任意選択で、アンカー１０３は、１つ以上のプーリーを含む。可撓性コネクタ１０２は、プーリー（複数可）の周りに巻き付けられ、それにより、プーリー（複数可）に対する可撓性コネクタ１０２の移動を可能にする。
【００４４】
任意選択で、バレル１１４Ａ〜Ｂの一方または両方の縁部（複数可）がアンカーとして機能し、したがって、可撓性コネクタ１０２がそれらの上を摺動する。
【００４５】
任意選択で、アクチュエータ１００はまた、使用中に可撓性コネクタ１０２の一方向の運動のみを可能にする、ラチェット機構などの一方向機構を含む。例えば、シリンジ１１０Ａによる注入およびシリンジ１１０Ｂによる吸引のみ。反対の動作（シリンジ１１０Ａによる吸引およびシリンジ１１０Ｂによる注入）の試みは、一方向機構によって反対される。一方向機構は、アンカー１０３に含まれてもよい。
【００４６】
次に図２を参照する。図２は、本発明のいくつかの実施形態による、ホルダを有する例示的なアクチュエータの図である。
【００４７】
任意選択で、アクチュエータ１００はまた、ロッド１０１Ａ〜Ｂがプランジャー１１１Ａ〜Ｂに対して移動するのを防ぐために、ロッド１０１Ａ〜Ｂをプランジャー１１１Ａ〜Ｂに着脱可能に機械的に結合するためのホルダ２０１Ａ〜Ｂを含む。任意選択で、ホルダ２０１Ａ〜Ｂは、シリンジ１１０Ａ〜Ｂが取り外し可能および／または交換可能であるように、シリンジ１１０Ａ〜Ｂに対して取り付け可能および着脱可能である。好適なホルダ２０１Ａ〜Ｂには、例えば、クランプ、リング、弾性体、クリンパー、ケーシング、または他の好適な構造体が含まれる。任意選択で、ホルダ２０１Ａ〜Ｂは、ロッド１０１Ａ〜Ｂの各々の近位端部に位置し、かつシリンジ１１０４Ａ〜Ｂのプランジャー１１１Ａ〜Ｂの端部分に取り付けられるように設計されている。任意選択で、ホルダ２０１Ａ〜Ｂは、異なるサイズのシリンジへの取り付け用に設計されている。
【００４８】
次に図３Ａ、図３Ｂ、図３Ｃ、図３Ｄ、図３Ｅ、図３Ｆおよび図３Ｇを参照する。図３Ａ、図３Ｂ、図３Ｃ、図３Ｄ、図３Ｅ、図３Ｆ、および図３Ｇは、本発明のいくつかの実施形態による、同期された注入および吸引のためのアクチュエータを含むデバイスの図である。
【００４９】
デバイス３００は、指定されたマウントにシリンジ３１０Ａ〜Ｂを保持する、ハウジング３０１を含む。ハウジング３０１は、特定のサイズ（複数可）のシリンジを保持するように適合されてもよく、またはさまざまなサイズのシリンジに好適であってもよい。
【００５０】
任意選択で、デバイス３００は、片手の手のひらに収まるサイズおよび／または形状のハンドヘルドデバイスである。任意選択で、デバイス３００は、スタンドアロンデバイス（すなわち、ハンドヘルドではない）であり、および／または別のデバイスに統合される。任意選択で、デバイスは、コンピュータ制御される。例えば、デバイス３００は、タイマーを使用しておよび／または事前に選択されたレートで、患者内に自動的に注入および吸引するように設定される。
【００５１】
任意選択で、デバイス３００は、患者から離れた基部上に位置しており、患者内の針は、チューブを介してシリンジに接続されている。デバイスは、柔軟なルーメン（カテーテルおよび／またはチューブ）ならびに／またはデュアルチャンネル針および／もしくはカニューレを介して操作されてもよい。このような場合、片手操作で安定した保持が可能となり、デバイスの使用中、例えば、接合部または内側体腔を治療しているときの意図しない移動によって生じる損傷が少なくなる可能性がある。
【００５２】
図３Ｂおよび図３Ｃは、デバイス３００の断面を示している。アンカー３０２は、ハウジング３０１の構造体に成形された孔である。可撓性コネクタ３０３は、アンカー３０２内に挿入される。
【００５３】
図３Ｄは、シリンジ３１０Ａ〜Ｂの上部分の断面を示している。ホルダ３０４Ａ〜Ｂは、プランジャー３０５Ａ〜Ｂを包み込む留め金である。任意選択で、ロッド３０６Ａ〜Ｂは、プランジャー３０５Ａ〜ＢのＸ字形プロファイル内に適合するように形成される。例えば、ロッド３０６Ａ〜Ｂは、Ｘ形状の中心近くに適合する、９０度の角度を有するプロファイル（実質的に三角形のプロファイル）を有し得る。
【００５４】
図３Ｅ、図３Ｆ、および図３Ｇは、シリンジ３１０Ａ〜Ｂおよびプランジャー３０５Ａ〜Ｂを示している。
【００５５】
デバイス３００は、例えば、２つ以上のアクチュエータを使用することにより、３つ以上のシリンジを含むことができ、そのため、シリンジのうちの１つ以上に、複数のアクチュエータが取り付けられる。
【００５６】
任意選択で、ハウジング３０１を開いて、シリンジ３１０Ａ〜Ｂをはめ込む。例えば、ハウジング３０１は、留め金および／またはヒンジ（複数可）によって取り付けられる２つの分離可能なセクションでできている。
【００５７】
次に図４Ａ、図４Ｂ、図４Ｃ、図４Ｄ、図４Ｅ、図４Ｆ、および図４Ｇを参照する。図４Ａ、図４Ｂ、図４Ｃ、図４Ｄ、図４Ｅ、図４Ｆ、および図４Ｇは、本発明のいくつかの実施形態による、チューブおよびストリングを有する同期された注入および吸引のためのデバイスおよびアクチュエータの図である。
【００５８】
デバイス４００は、ロッドがチューブ４０１Ａおよびチューブ４０１Ｂである、アクチュエータを含んでおり（図４Ｅに示される）、可撓性コネクタは、チューブ４０１Ａ〜Ｂ内に挿入され、図４Ｃおよび図４Ｄに別々に示されている、ストリング４０２である。ストリング４０２は、チューブ４０１Ａ〜Ｂの各々の近位端部に接続され、チューブ４０１Ａ〜Ｂの内部に入り、かつチューブ４０１Ａ〜Ｂの各々の遠位端部から出る。シリンジ４１０Ａが注入されているとき、チューブ４０１Ａは、遠位方向に変位し、ストリング４０２を引っ張り、次にストリング４０２が遠位端部からチューブ４０１Ｂを近位方向に押し、シリンジ４１０Ｂを吸引させる。
【００５９】
任意選択で、図４Ｇに示すように、ストリング４０２（チューブ４０１Ａ〜Ｂの近位端部を出る）の近位端部は、プランジャーへの機械的連結のために、ループ内のシリンジ４１０Ａ〜Ｂのプランジャーの周りに保持される。
【００６０】
任意選択で、シリンジ１１０Ｂによる吸引は、シリンジ１１０Ａによる注入の後に遅らされる。これは、シリンジ１１０Ａによる注入が開始されるときに、可撓性コネクタ１０２を緩めることにより行われ得る。可撓性コネクタ１０２は、より長くてもよく、および／またはロッド１０１Ａおよび／またはロッド１０１Ｂのより近位の部分に接続されてもよい。
【００６１】
次に図５Ａおよび図５Ｂを参照する。図５Ａおよび図５Ｂは、本発明のいくつかの実施形態による、緩い可撓性コネクタを有する、それぞれ図２のデバイスと同様のデバイス、および図３Ａのアクチュエータと同様のアクチュエータの図である。可撓性コネクタ１０２は、ロッド１０１Ａの遠位端部から距離を置いてロッド１０１Ａに接続され、したがって、可撓性コネクタ１０２の緩み部分５０１が生成される。プランジャー１１１Ａが押されると、緩み部分５０１が引っ張られ、可撓性コネクタ１０２が引き伸ばされる。緩み部分５０１がなくなると、可撓性コネクタ１０２はロッド１０１Ｂを引っ張り始め、これは、プランジャー１１１Ｂを近位方向に変位させ、シリンジ１１０Ｂによる吸引をもたらす。
【００６２】
次に図６Ａおよび図６Ｂを参照する。図６Ａおよび図６Ｂは、本発明のいくつかの実施形態による、チューブおよびストリングを有するアクチュエータを備えた、図４Ａのデバイスと同様のデバイスの図である。ストリング６０２は、６０１Ａの遠位端部の代わりにチューブ６０１Ａの孔を通過し、したがって、シリンジ６１０Ａが注入を開始するときに緩み部分を有する。
【００６３】
次に図７Ａ、図７Ｂ、および図７Ｃを参照する。図７Ａ、図７Ｂ、および図７Ｃは、本発明のいくつかの実施形態による、同期された注入および吸引のためのピストル型デバイスの図および断面図である。
【００６４】
デバイス７００は、デバイス７００から着脱可能であり得る、デバイス３００またはデバイス４００を含むことができる。デバイス７００はまた、シリンジを直接的に挿入するためのマウントを含み得る。
【００６５】
デバイス７００は、グリップ７０１およびトリガー７０２を含む。トリガー７０２は、プランジャー７１０Ａを押す、押し出しロッド７０３を作動させる。任意選択で、トリガー７０２は、例えば、軸の上で回転することにより、プランジャー７１０Ａまたはプランジャー７１０Ｂのいずれかを押すように調整可能である。
【００６６】
任意選択で、デバイス７００はスロット７０４を含み、そこにレバー７０５が挿入される。トリガー７０２が押圧されると、レバー７０５は、スロット７０４の次のスロット内に挿入され、かつ押し出しロッド７０３がプランジャー７１０Ａを特定の距離を超えて移動させることを防ぐ。これにより、トリガー７０２が押圧される度毎に、制御された等しい量の流体を注入および吸引することが可能となる。
【００６７】
任意選択で、デバイス７００は、トリガー７０２が押圧された回数、押圧の速度、注入および／または吸引された流体の量、および／またはいくつかの他の情報などの情報を提示する、ディスプレイを含む。
【００６８】
次に図８を参照する。図８は、本発明のいくつかの実施形態による、同期された注入および吸引のためのデバイスを使用するための方法を概略的に表すフローチャートである。
【００６９】
最初に、８０１に示すように、シリンジを、例えば、ハウジングのシリンジマウント内に挿入することにより、デバイスに接続する。
【００７０】
次に、８０２に示されるように、各ロッドは、プランジャーのうちの１つに隣接して位置付けられ、それによりヘッドとプランジャーのシールとの間に保持される。
【００７１】
最後に、８０３に示すように、シリンジのうちの１つのプランジャーを押す。これにより、デバイスによる同期された注入および吸引が有効になる。
【００７２】
最初に、８０４に示されるように、注入シリンジのプランジャーが遠位方向に変位されて、注入シリンジから流体を注入し、したがって、第１のロッドも遠位方向に変位する。
【００７３】
次に、８０５に示すように、可撓性コネクタの第１の端部は、第１のロッドによって遠位方向に変位し、一方で、可撓性コネクタの他の端部が引っ張られて、近位方向に変位する。
【００７４】
最後に、８０６に示すように、第２のロッドは、可撓性コネクタの他の端部によって引っ張られ、近位方向に変位し、したがって、吸引シリンジのプランジャーも近位方向に変位して、吸引シリンジから流体を吸引する。
【００７５】
本発明のさまざまな実施形態の説明は、例示の目的で提示されているが、網羅的であることまたは開示された実施形態に限定されることを意図するものではない。記載された実施形態の範囲および趣旨から逸脱することなく、多くの修正および変種が当業者には明らかであろう。本明細書で使用される用語は、実施形態の原理、経済界で見られる技術に対する実際の用途もしくは技術的改善を最もよく説明するか、または他の当業者が本明細書で開示される実施形態を理解できるようにするために選択された。
【００７６】
この出願から満了する特許の存続期間中に、多くの関連するシリンジが開発され、かつシリンジという用語の範囲は、こうした全ての新しい技術を先験的に含むことを意図していると予期される。
【００７７】
用語「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｖｉｎｇ）」およびその活用形は、「限定されるものではないが、含む（ｉｎｃｌｕｄｉｎｇ  ｂｕｔ  ｎｏｔ  ｌｉｍｉｔｅｄ  ｔｏ）」を意味する。この用語には「からなる」および「から実質的になる」用語が含まれる。
【００７８】
「から実質的になる」という表現は、組成物または方法が追加の成分および／または工程を含み得ることを意味する。但しこれは、追加の成分および／または工程が請求項に記載の組成物または方法の基本的かつ新規な特性を実質的に変更しない場合に限られる。
【００７９】
本明細書において、単数形を表す「ａ」、「ａｎ」および「ｔｈｅ」は、文脈が明らかに他を示さない限り、複数をも対象とする。例えば、「化合物（ａ  ｃｏｍｐｏｕｎｄ）」または「少なくとも１種の化合物」には、複数の化合物が含まれ、それらの混合物をも含み得る。
【００８０】
「例示的」という単語は、本明細書では「実施例、事例、または例示として役立つ」ことを意味するために使用される。「例示的」として説明されるいずれの実施形態も、必ずしも他の実施形態よりも好ましい、もしくは有利であるとして、および／または他の実施形態からの特徴の組み込みを除外すると解釈されるべきではない。
【００８１】
「任意選択で」という単語は、「一部の実施形態では提供され、かつ他の実施形態では提供されない」ことを意味するために本明細書で使用される。本発明の任意の特定の実施形態は、そのような特徴が矛盾しない限り、複数の「任意選択の」特徴を含み得る。
【００８２】
本願全体を通して、本発明のさまざまな実施形態は、範囲形式にて示され得る。範囲形式での記載は、単に利便性および簡潔さのためであり、本発明の範囲の柔軟性を欠く制限ではないことを理解されたい。したがって、範囲の記載は、可能な下位の範囲の全部、およびその範囲内の個々の数値を特異的に開示していると考えるべきである。例えば、１〜６といった範囲の記載は、１〜３、１〜４、１〜５、２〜４、２〜６、３〜６等の部分範囲のみならず、その範囲内の個々の数値、例えば１、２、３、４、５および６も具体的に開示するものとする。これは、範囲の大きさに関わらず適用される。
【００８３】
本明細書において数値範囲を示す場合、それは常に示す範囲内の任意の引用数（分数または整数）を含むことを意図する。第１の指示数と第２の指示数「との間の範囲」という表現と、第１の指示数「から」第２の指示数「までの範囲」という表現は、本明細書で代替可能に使用され、第１の指示数および第２の指示数と、それらの間の分数および整数の全部を含むことを意図する。
【００８４】
明確さのために別個の実施形態に関連して記載した本発明の所定の特徴はまた、１つの実施形態において、これらの特徴を組み合わせて提供され得ることを理解されたい。逆に、簡潔さのために１つの実施形態に関連して記載された本発明の複数の特徴はまた、別々に、または任意の好適な部分的な組み合わせ、または適当な他の記載された実施形態に対しても提供され得る。さまざまな実施形態に関連して記載される所定の特徴は、その要素なしでは特定の実施形態が動作不能でない限り、その実施形態の必須要件であると捉えてはならない。
【００８５】
本発明をその特定の実施形態との関連で説明してきたが、多数の代替、修正および変種が当業者には明らかであろう。したがって、そのような代替、修正および変種の全ては、添付の特許請求の範囲の趣旨および広い範囲内に含まれることを意図するものである。
【００８６】
本明細書で言及した全ての刊行物、特許および特許出願は、個々の刊行物、特許および特許出願のそれぞれについて具体的かつ個別の参照により本明細書に組み込まれる場合と同程度に、それらの全体が参照により本明細書に組み込まれる。加えて、本願におけるいかなる参考文献の引用または特定は、このような参考文献が本発明の先行技術として使用できることの容認として解釈されるべきではない。また、各節の表題が使用される範囲において、必ずしも限定として解釈されるべきではない。
【図１】
2020527091.tif 000003
【図２】
2020527091.tif 000004
【図３Ａ】
2020527091.tif 000005
【図３Ｂ】
2020527091.tif 000006
【図３Ｃ】
2020527091.tif 000007
【図３Ｄ】
2020527091.tif 000008
【図３Ｅ】
2020527091.tif 000009
【図３Ｆ】
2020527091.tif 000010
【図３Ｇ】
2020527091.tif 000011
【図４Ａ】
2020527091.tif 000012
【図４Ｂ】
2020527091.tif 000013
【図４Ｃ】
2020527091.tif 000014
【図４Ｄ】
2020527091.tif 000015
【図４Ｅ】
2020527091.tif 000016
【図４Ｆ】
2020527091.tif 000017
【図４Ｇ】
2020527091.tif 000018
【図５】
2020527091.tif 000019
【図６】
2020527091.tif 000020
【図７Ａ】
2020527091.tif 000021
【図７Ｂ】
2020527091.tif 000022
【図７Ｃ】
2020527091.tif 000023
【図８】
2020527091.tif 000024
【国際調査報告】
2020527091.tif 000025
2020527091.tif 000026
2020527091.tif 000027
2020527091.tif 000028
2020527091.tif 000029